(57)【要約】【課題】座位作業及び立位作業の両方を効率良く行うことができると共に、空間を有効に利用することができる多目的ドレッサー、多目的ドレッサーの設置構造、及び多目的ドレッサーの設置方法を提供する。【解決手段】多目的ドレッサー１の座位作業部２は低位カウンター６を備えると共に、立位作業部３は高位カウンター８を備えている。このように、高さの異なる低位カウンター６と高位カウンター８を備えているため、低位カウンター６については座位作業にとって適切な高さに設定し、高位カウンター８についても立位作業にとって適切な高さに設定することが可能となる。高位カウンター８の下方には冷蔵庫収納部９が形成されている。従って、高位カウンター８の下方に冷蔵庫ＲＦを収納することができるため、室内に冷蔵庫ＲＦを設置するためだけのスペースを確保する必要がない。【選択図】図１
2015058287.tif 000002
【特許請求の範囲】
【請求項１】
低位カウンターを備え、椅子に腰掛けた状態で作業を行うための座位作業部と、
高位カウンターを備え、起立した状態で作業を行うための立位作業部と、
水栓及びシンクを備え、水利用作業を行うための水利用作業部と、
を備える多目的ドレッサーであって、
前記低位カウンターの下方には、座位作業時のニースペース及び椅子収納部としての空間が形成され、
前記高位カウンターの下方には、冷蔵庫収納部が形成されていることを特徴とする多目的ドレッサー。
【請求項２】
前記座位作業部は、前記立位作業部と前記水利用作業部との間に配置されていることを特徴とする請求項１に記載の多目的ドレッサー。
【請求項３】
前記冷蔵庫収納部には、前記座位作業部側が開く片開き形式の扉が設けられていることを特徴とする請求項１又は２に記載の多目的ドレッサー。
【請求項４】
前記水利用作業部の前記水栓及び前記シンクは、前記座位作業部の前記低位カウンターが延長された低位カウンター延長部の上面に設けられていることを特徴とする請求項１〜３の何れか一項に記載の多目的ドレッサー。
【請求項５】
前記低位カウンターの下方には、前後方向にスライド自在で、引き出した際に前記低位カウンターの前面側の端部よりも前方に突出するタオル掛けが設けられていることを特徴とする請求項１〜４の何れか一項に記載の多目的ドレッサー。
【請求項６】
前記冷蔵庫収納部の前記扉の下端と設置床面との間には隙間が形成されていることを特徴とする請求項３に記載の多目的ドレッサー。
【請求項７】
請求項１〜６の何れか一項に記載の多目的ドレッサーの設置構造であって、
前記水利用作業部、前記立位作業部、及び前記座位作業部は、その背面部が同一の壁面に当接されるように設けられ、
前記水利用作業部の上方には第１の吊戸棚が、前記立位作業部の上方には第２の吊戸棚が、それぞれの背板部が前記壁面に固定されることにより設けられており、
前記第１の吊戸棚の下端は、当該下端と前記水利用作業部との間に水栓操作を行う空間を確保する高さに設定され、
前記第２の吊戸棚の下端は、当該下端と前記立位作業部との間に電気機器を配置するための空間を確保する高さに設定され、
前記第２の吊戸棚の奥行き寸法は、前記第１の吊戸棚の奥行き寸法に比して大きく設定されていることを特徴とする多目的ドレッサーの設置構造。
【請求項８】
前記壁面のうち、前記座位作業部の上方の壁面には鏡が設けられており、
前記壁面のうち、前記水利用作業部、前記立位作業部、及び前記座位作業部の上方、且つ前記第１の吊戸棚、前記第２の吊戸棚、及び前記鏡で覆われていない領域には化粧板が、前記鏡と略面一になるように設けられていることを特徴とする請求項７に記載の多目的ドレッサーの設置構造。
【請求項９】
前記低位カウンターの上方の前記壁面には第１のコンセントが設けられ、
前記第１の吊戸棚の内部には第２のコンセントが設けられ、
前記冷蔵庫収納部の内部には第３のコンセントが設けられ、
前記高位カウンターには、配線を通すための開口部が形成されることを特徴とする請求項７または８に記載の多目的ドレッサーの設置構造。
【請求項１０】
規格化建物における、請求項１〜６の何れか一項に記載の多目的ドレッサーの設置構造であって、
前記規格化建物は、所定の平面モジュールを有し、
前記多目的ドレッサーの幅寸法は、前記平面モジュールの整数倍から間仕切り壁の幅を減じた値に対応し、
前記多目的ドレッサーは、前記平面モジュールに基づいた間仕切り壁の間に設置されていることを特徴とする多目的ドレッサーの設置構造。
【請求項１１】
既築の規格化建物における、請求項１〜６の何れか一項に記載の多目的ドレッサーの設置方法であって、
前記規格化建物は、所定の平面モジュールを有し、該平面モジュールに基づいた間仕切り壁によって形成された収納を備えており、
前記多目的ドレッサーの幅寸法は、前記平面モジュールの整数倍から間仕切り壁の幅を減じた数値に対応し、
前記収納の扉を取り外し、前記収納の間仕切り壁を残存させて、前記多目的ドレッサーを前記収納内の空間に設置することを特徴とする多目的ドレッサーの設置方法。
【請求項１２】
収納を有する二つの個室が隣接した住宅における、請求項１〜６の何れか一項に記載の多目的ドレッサーの設置方法であって、
二つの前記個室をつなげて、より広い部屋に改修し、
少なくとも一方の前記個室の前記収納について、建具を取り外し、前記多目的ドレッサーを設置することを特徴とする多目的ドレッサーの設置方法。
【発明の詳細な説明】
【技術分野】
【０００１】
本発明は、多目的ドレッサー、多目的ドレッサーの設置構造、及び多目的ドレッサーの設置方法に関する。
【背景技術】
【０００２】
従来、洗面と流しの機能を兼用することができるシンクを備えた多目的のユニットが知られている。例えば、特許文献１に記載のユニットは、カウンターの中央付近にシンクが設けられると共にシンクの上方に鏡が設けられ、カウンターの端部の下方に椅子を収納するための収納部が形成されている。また、特許文献２に記載のユニットは、カウンター上に、洗面機能を有する洗面部、及びキッチン作業を行うキッチン部を備えている。また、特許文献３に記載のユニットは、カウンター上にシンクとＩＨヒータが設けられ、カウンターの横に冷蔵庫、食器洗機、電子レンジなどの電気機器を設置する棚が設けられている。
【先行技術文献】
【特許文献】
【０００３】
【特許文献１】実開平５−９３３８号公報
【特許文献２】特開平９−９８８４４号公報
【特許文献３】実用新案登録第３１１４２４１号
【発明の概要】
【発明が解決しようとする課題】
【０００４】
ここで、上述の特許文献１〜３に記載のユニットは、いずれもカウンター高さが機能によらず同一に設定されていた。一方、整容などの座位作業を行うために適切なカウンターの高さと、軽食準備などの立位作業を行うために適切なカウンターの高さとは異なる。しかしながら、従来のユニットでは、カウンターの高さが同一に設定されていたため、各作業に対応した使い易い高さでない場合があった。また、特許文献１，２ではカウンターとは別の位置に、冷蔵庫などの電気機器を設置するためのスペースを確保しなくてはならず、特許文献３では、電気機器を設置するためだけに用いられる棚のためのスペースを確保しなくてはならず、部屋全体の空間を有効に利用することも求められていた。
【０００５】
本発明は、上記課題を解決するためになされたものであり、座位作業及び立位作業の両方を効率良く行うことができると共に、空間を有効に利用することができる多目的ドレッサー、多目的ドレッサーの設置構造、及び多目的ドレッサーの設置方法を提供することを目的とする。
【課題を解決するための手段】
【０００６】
本発明に係る多目的ドレッサーは、低位カウンターを備え、椅子に腰掛けた状態で作業を行うための座位作業部と、高位カウンターを備え、起立した状態で作業を行うための立位作業部と、水栓及びシンクを備え、水利用作業を行うための水利用作業部と、を備える多目的ドレッサーであって、低位カウンターの下方には、座位作業時のニースペース及び椅子収納部としての空間が形成され、高位カウンターの下方には、冷蔵庫収納部が形成されていることを特徴とする。
【０００７】
本発明に係る多目的ドレッサーは、椅子に腰掛けた状態で作業を行うための座位作業部と、起立した状態で作業を行うための立位作業部と、水栓及びシンクを備えて水利用作業を行うための水利用作業部と、を備えているため、利用者は多様な目的で多目的ドレッサーを利用することができる。また、座位作業部は低位カウンターを備えると共に、当該低位カウンターの下方には、座位作業時のニースペース及び椅子収納部としての空間が形成されている。また、立位作業部は、高位カウンターを備えている。このように、高さの異なる低位カウンターと高位カウンターを備えているため、低位カウンターについては座位作業にとって適切な高さに設定し、高位カウンターについても立位作業にとって適切な高さに設定することが可能となる。従って、座位作業及び立位作業のいずれの作業も効率良く行うことができる。更に、高位カウンターの下方には冷蔵庫収納部が形成されている。従って、高位カウンターの上方は立位作業のためのスペースとして確保しつつも、下方は冷蔵庫を収納することができるため、室内に冷蔵庫を設置するためだけのスペースを確保する必要がない。以上により、座位作業及び立位作業の両方を効率良く行うことができると共に、空間を有効に利用することができる。
【０００８】
また、本発明に係る多目的ドレッサーにおいて、座位作業部は、立位作業部と水利用作業部との間に配置されていることが好ましい。これによって、低位カウンターを美容整容や食事などの多様な目的で利用することが可能となる。従って、美容整容を行うスペースと食事をするスペースを別々に設ける必要がなく、空間を効率よく利用することができる。また、座位作業部から立位作業部や水利用作業部への移行を無駄なく合理的に行うことができる。
【０００９】
また、本発明に係る多目的ドレッサーにおいて、冷蔵庫収納部には、座位作業部側が開く片開き形式の扉が設けられていることが好ましい。これによって、座位作業部で座った状態で冷蔵庫に物を出し入れすることができる。
【００１０】
また、本発明に係る多目的ドレッサーにおいて、水利用作業部の水栓及びシンクは、座位作業部の低位カウンターが延長された低位カウンター延長部の上面に設けられていることが好ましい。これによって、低位カウンターとシンク周辺との間に段差が生じない構成とすることができるため、シンク周辺の低位カウンター延長部の上面を小物類置き場として有効活用することができる。
【００１１】
また、本発明に係る多目的ドレッサーにおいて、低位カウンターの下方には、前後方向にスライド自在で、引き出した際に低位カウンターの前面側の端部よりも前方に突出するタオル掛けが設けられていることが好ましい。これによって、タオルを使用するときは、前方に引き出し、タオルを使用しないときは、タオルを掛けた状態のまま低位カウンターの下方にしまっておくことができるため、タオルが見え難くなり外観が損なわれない。
【００１２】
また、本発明に係る多目的ドレッサーにおいて、冷蔵庫収納部の扉の下端と設置床面との間には隙間が形成されていることが好ましい。これによって、当該隙間から、空気が流通することで、冷蔵庫収納部に熱がこもることを抑制することができる。また、高位カウンターに開口部が形成されている場合には、当該隙間から高位カウンターの開口部へ向かう空気の流れによって、冷蔵庫収納部に熱がこもることを更に抑制することができる。
【００１３】
また、本発明に係る多目的ドレッサーの設置構造において、水利用作業部、立位作業部、及び座位作業部は、その背面部が同一の壁面に当接されるように設けられ、水利用作業部の上方には第１の吊戸棚が、立位作業部の上方には第２の吊戸棚が、それぞれの背板部が前記壁面に固定されることにより設けられており、第１の吊戸棚の下端は、当該下端と水利用作業部との間に水栓操作を行う空間を確保する高さに設定され、第２の吊戸棚の下端は、当該下端と立位作業部との間に電気機器を配置するための空間を確保する高さに設定され、第２の吊戸棚の奥行き寸法は、第１の吊戸棚の奥行き寸法に比して大きく設定されていることが好ましい。これによって、使い易い位置に適切な大きさの収納空間を確保することができるため、機能的に利用することができる。
【００１４】
また、本発明に係る多目的ドレッサーの設置構造において、壁面のうち、座位作業部の上方の壁面には鏡が設けられており、壁面のうち、水利用作業部、立位作業部、及び座位作業部の上方、且つ第１の吊戸棚、第２の吊戸棚、及び鏡で覆われていない領域には化粧板が、鏡と略面一になるように設けられていることが好ましい。これによって、鏡の周囲に各化粧板が配置される構成となるため、鏡と周囲の壁面との間に段差が発生することを抑制することができ、意匠性を向上することができる。
【００１５】
また、本発明に係る多目的ドレッサーの設置構造において、低位カウンターの上方の壁面には第１のコンセントが設けられ、第１の吊戸棚の内部には第２のコンセントが設けられ、冷蔵庫収納部の内部には第３のコンセントが設けられ、高位カウンターには、配線を通すための開口部が形成されることが好ましい。これにより、第１のコンセントを用いて座位作業において用いられる電気機器（例えばドライヤー等）を利用することが可能となる。また、第２のコンセントが第１の吊戸棚の内部に設けられているため、第２のコンセントを用いて充電しながら第１の吊戸棚に物（例えばシェーバーや電気歯ブラシ等）を収納することが可能となる。また、第３のコンセントが冷蔵庫収納部の内部に形成されており、高位カウンターに配線を通すための開口部が形成されるため、冷蔵庫の配線や、高位カウンターに設置される電気機器の配線を外部に露出しないように配置することが可能となり、外観が損なわれない。
【００１６】
本発明に係る多目的ドレッサーの設置構造は、規格化建物における、上述の多目的ドレッサーの設置構造であって、規格化建物は、所定の平面モジュールを有し、多目的ドレッサーの幅寸法は、平面モジュールの整数倍から間仕切り壁の幅を減じた値に対応し、多目的ドレッサーは、平面モジュールに基づいた間仕切り壁の間に設置されていることを特徴とする。これによって、室内の空間を無駄なく利用することができる。
【００１７】
本発明に係る多目的ドレッサーの設置方法は、既築の規格化建物における、上述の多目的ドレッサーの設置方法であって、規格化建物は、所定の平面モジュールを有し、該平面モジュールに基づいた間仕切り壁によって形成された収納を備えており、多目的ドレッサーの幅寸法は、平面モジュールの整数倍から間仕切り壁の幅を減じた数値に対応し、収納の扉を取り外し、収納の間仕切り壁を残存させて、多目的ドレッサーを収納内の空間に設置することを特徴とする。これによって、収納として用いられていた部分を、大きくリフォームする必要なく有効活用することができる。
【００１８】
本発明に係る多目的ドレッサーの設置方法は、収納を有する二つの個室が隣接した住宅における、上述の多目的ドレッサーの設置方法であって、二つの個室をつなげて、より広い部屋に改修し、少なくとも一方の個室の収納について、建具を取り外し、多目的ドレッサーを設置することを特徴とする。これによって、間取りを大きく変えることなく、家族構成の変化に柔軟に対応することができる。
【発明の効果】
【００１９】
本発明によれば、座位作業及び立位作業の両方を効率良く行うことができると共に、空間を有効に利用することができる。
【図面の簡単な説明】
【００２０】
【図１】本発明の実施形態に係る多目的ドレッサーの正面図である。
【図２】図１に示すＩＩ‐ＩＩ線に沿った断面図である。
【図３】図１に示すＩＩＩ−ＩＩＩ線に沿った断面図である。
【図４】図１に示すＩＶ−ＩＶ線に沿った断面図である。
【図５】図１に示すＶ−Ｖ線に沿った断面図である。
【図６】本発明の実施形態に係る多目的ドレッサーの設置構造及び設置方法を説明するための図である。
【図７】変形例に係る多目的ドレッサーの正面図である。
【発明を実施するための形態】
【００２１】
以下、本発明の好適な実施形態について、図面を参照しながら説明する。
【００２２】
図１は、本発明の実施形態に係る多目的ドレッサー１の正面図である。図２は、図１に示すＩＩ‐ＩＩ線に沿った断面図である。図３は、図１に示すＩＩＩ−ＩＩＩ線に沿った断面図である。図４は、図１に示すＩＶ−ＩＶ線に沿った断面図である。図５は、図１に示すＶ−Ｖ線に沿った断面図である。図１〜図５に示すように、多目的ドレッサー１は、椅子ＣＡに腰掛けた状態で作業を行うための座位作業部２と、起立した状態で作業を行うための立位作業部３と、水利用作業を行うための水利用作業部４と、を備えている。多目的ドレッサー１は、部屋の設置床面ＳＦ上に設置されて、壁面Ｗに沿って設けられるものである。本実施形態に係る多目的ドレッサー１の設置構造１００は、このように多目的ドレッサー１を設置床面ＳＦ上に設置すると共に、壁面Ｗに沿って設けることによって構成される。多目的ドレッサー１の各構成要素の配置は特に限定されないが、本実施形態では、多目的ドレッサー１は、壁面Ｗに沿った水平方向（以下、「横方向」と称する）における一方（図１における紙面左側）から、水利用作業部４、座位作業部２、及び立位作業部３をこの順で備えている。すなわち、座位作業部２は、立位作業部３と水利用作業部４との間に配置されている。本実施形態では、多目的ドレッサー１の壁面Ｗ側（図１における紙面裏面側）を「背面側」と称し、利用者にとって手前側（図１における紙面表面側）を「前面側」と称して以下の説明を行う。
【００２３】
座位作業部２は、利用者が椅子ＣＡに腰掛けた状態にて、化粧、美顔器利用、整髪（ドライヤー）の使用や、食事などの様々な作業を行うための部分である。座位作業部２は、低位カウンター６を備えている。低位カウンター６は、メラミン樹脂、人造大理石などの材料による矩形状の板状部材によって構成される。この低位カウンター６の高さ（低位カウンター６の上面６ａと設置床面ＳＦとの間の寸法）は、作業者が椅子ＣＡに座った状態にて無理なく作業を行うことが可能な高さに設定されており、具体的には６５０ｍｍ〜７５０ｍｍに設定されている。また、低位カウンター６の奥行き寸法は、作業者が作業を行うのに十分なスペースを確保できる寸法に設定されており、具体的には４５０ｍｍ〜６００ｍｍに設定されている。なお、低位カウンター６の背面側の端部６ｃは、壁面Ｗまで延びている。すなわち、設置構造１００において、座位作業部２は、その背面部２ａが壁面Ｗに当接されるように設けられる。低位カウンター６の下方には、座位作業時のニースペース及び椅子収納部としての空間ＳＰ１が形成される。この空間ＳＰ１は、低位カウンター６の下面６ｂと、設置床面ＳＦと、後述の冷蔵庫収納部９の側面９ａと、後述のシンク下の収納部２９の側面２９ａと、壁面Ｗとで囲まれる部分に形成される。空間ＳＰ１の横方向の大きさ、すなわち側面９ａと側面２９ａとの間の寸法は、５００ｍｍ〜６５０ｍｍに設定される。この低位カウンター６が水利用作業部４側へ横方向に延長されることによって低位カウンター延長部７が形成される。本実施形態では、低位カウンター延長部７は、低位カウンター６と同じ高さ、同じ奥行きに設定されている。低位カウンター延長部７は、低位カウンター６と一体的に形成された板状部材によって構成されている。なお、低位カウンター延長部７と低位カウンター６とを異なる板状部材で構成してもよい。
【００２４】
低位カウンター６の下方には、前後方向にスライド自在で、引き出した際に低位カウンター６の前面側の端部６ｄよりも前方に突出するタオル掛け２１が設けられている。具体的には、タオル掛け２１は、低位カウンター６の下面６ｂに固定される固定レール部２２と、固定レール部２２に沿ってスライド移動可能なスライド部２３と、を備えている。このタオル掛け２１では、スライド部２３を前方にスライドさせることで、当該スライド部２３を低位カウンター６の前面側の端部６ｄよりも前方へ引き出すことができる（特に図２参照）。従って、利用者は、スライド部２３に容易にタオルを掛けること、及びタオルを使用することができる。また、タオルを使用しないときは、スライド部２３を背面側へスライドさせることで低位カウンター６の下面６ｂ側にタオルごと収納しておくことができる。
【００２５】
立位作業部３は、作業者が立った状態で軽食などの食事の準備等、様々な作業を行うための部分である。また、立位作業部３に電子レンジＥＲなどの加熱用の電気機器を配置し、当該電気機器の利用作業に用いてもよい。立位作業部３は、高位カウンター８を備えている。高位カウンター８は、メラミン樹脂、人造大理石などの材料による矩形状の板状部材によって構成される。この高位カウンター８の高さ（高位カウンター８の上面８ａと設置床面ＳＦとの間の寸法）は、作業者が立った状態にて無理なく作業を行うことが可能な高さに設定されており、具体的には８００ｍｍ〜９５０ｍｍに設定されている。また、高位カウンター８の奥行き寸法及び横方向の寸法は、作業者が作業を行うのに十分なスペースを確保できる寸法に設定されており、具体的には奥行き寸法が４５０ｍｍ〜６００ｍｍに設定され、横方向の寸法が５００ｍｍ〜６００ｍｍに設定されている。なお、高位カウンター８の背面側の端部８ｃは、壁面Ｗまで延びている。すなわち、設置構造１００において、立位作業部３は、その背面部３ａが壁面Ｗに当接されるように設けられる。高位カウンター８の前面側の端部８ｄは、低位カウンター６の前面側の端部６ｄ（及び低位カウンター延長部７の前面側の端部７ｄ）よりも前方まで延びている。
【００２６】
高位カウンター８の下方には、冷蔵庫（図３においてＲＦで示している）を収納するための冷蔵庫収納部９が形成されている。冷蔵庫収納部９は、矩形状の箱体であって、背板部１１と、側板部１２，１３と、扉１４と、を備えて構成されている。背板部１１は、高位カウンター８の壁面Ｗ側の端部８ｃに沿って横方向に広がると共に、当該端部８ｃから設置床面ＳＦへ向かって下方へ垂直に延びる板状部材によって構成される。側板部１２は、高位カウンター８の座位作業部２側の端部８ｅに沿って前後方向に広がると共に、当該端部８ｅから設置床面ＳＦへ向かって下方へ垂直に延びる板状部材によって構成される。側板部１３は、高位カウンター８の座位作業部２と反対側の端部８ｆに沿って前後方向に広がると共に、当該端部８ｆから設置床面ＳＦへ向かって下方へ垂直に延びる板状部材によって構成される。なお、側板部１２の外面には低位カウンター６の横方向の端部６ｅが接続される。高位カウンター８の下面８ｂと、設置床面ＳＦと、背板部１１と、側板部１２，１３と、で囲まれる部分には空間ＳＰ２が形成され、この空間ＳＰ２は冷蔵庫を収容するための空間として機能する。冷蔵庫収納部９には、座位作業部２側が開く片開き形式の扉１４が設けられている。前述の空間ＳＰ２は前面側に開口部が形成されており、扉１４は当該開口部を塞ぐように配置された板状部材によって構成されている。扉１４は、座位作業部２とは反対側に設けられる側板部１３にヒンジ（不図示）を介して接続される。これによって、扉１４は当該ヒンジ周りに座位作業部２側が開くような片開き形式の扉となる。冷蔵庫収納部９の扉１４の下端１４ａと設置床面ＳＦとの間には隙間１６が形成されている。なお、扉１４の上端１４ｂと高位カウンター８の下面８ｂとの間には隙間１７が形成されている。
【００２７】
水利用作業部４は、利用者が水利用作業を行うための部分であり、水栓２４及びシンク２６を備えている。水利用作業部４では、利用者は、美容整容衛生系行為として、洗顔、歯磨き、手洗いやスポンジ洗いを行うことができる。また、利用者は、軽い食事の準備及び片付けとして、グラスやスイーツ容器、カトラリー、果物等を洗うことができる。利用者は座位状態にて水利用作業部４で作業を行ってもよく、立位状態にて水利用作業部４で作業を行ってもよい。水利用作業部４の水栓２４及びシンク２６は、座位作業部２の低位カウンター６が延長された低位カウンター延長部７の上面７ａに設けられている。前述のように、低位カウンター延長部７の上面７ａと低位カウンター６の上面６ａとは同一平面をなしており、互いの境界部に段差は生じていない。低位カウンター延長部７の高さ及び奥行き寸法は、低位カウンター６と同様である。低位カウンター延長部７の横方向の寸法は、水利用作業を行うのに十分なスペースを確保できる寸法に設定されており、５００ｍｍ〜６００ｍｍに設定されている。低位カウンター延長部７の背面側の端部７ｃは、壁面Ｗまで延びている。すなわち、設置構造１００において、水利用作業部４は、その背面部４ａが壁面Ｗに当接されるように設けられる。シンク２６の形状は特に限定されないが、本実施形態では、上方から見て楕円状をなす（図５参照）ような椀状のシンクが適用されている。シンク２６の内部領域における背面側の一部には段差部２６ａが形成されており、当該段差部２６ａに水栓２４が設けられている。水栓２４として、混合栓を用いてよい。シンク２６には、カップスープ等の残菜を流すことも想定し、排水口にキャッチャー（網状の皿）が設置されていてよい。
【００２８】
低位カウンター延長部７の下方には、収納部２９が形成されている。収納部２９は、矩形状の箱体であって、背板部３１と、側板部３２，３３と、扉３４と、底板部３５とを備えて構成されている。背板部３１は、低位カウンター延長部７の壁面Ｗ側の端部７ｃに沿って横方向に広がると共に、当該端部７ｃから設置床面ＳＦへ向かって下方へ垂直に延びる板状部材によって構成される。側板部３２は、低位カウンター延長部７の座位作業部２とは反対側の端部７ｅに沿って前後方向に広がると共に、当該端部７ｅから設置床面ＳＦへ向かって下方へ垂直に延びる板状部材によって構成される。側板部３３は、低位カウンター６及び低位カウンター延長部７との境界位置に沿って前後方向に広がると共に、当該境界位置から設置床面ＳＦへ向かって下方へ垂直に延びる板状部材によって構成される。底板部３５は、設置床面ＳＦから上方へ離間した位置において水平方向へ広がるように配置された板状部材によって構成される。低位カウンター延長部７の下面７ｂと、底板部３５と、背板部３１と、側板部３２，３３と、で囲まれる部分には空間ＳＰ３が形成され、この空間ＳＰ３は各種収納物を収納するための空間として機能する。また、空間ＳＰ３内には、水栓２４へ水を供給するための配管や、シンク２６からの排水のための配管などが配置されている。空間ＳＰ３内には、収納カゴ３６が配置されている。収納部２９には、座位作業部２側が開く片開き形式の扉３４が設けられている。前述の空間ＳＰ３は前面側に開口部が形成されており、扉３４は当該開口部を塞ぐように配置された板状部材によって構成されている。扉３４は、座位作業部２とは反対側に設けられる側板部３２にヒンジ（不図示）を介して接続される。これによって、扉３４は当該ヒンジ周りに座位作業部２側が開くような片開き形式の扉となる。収納部２９の扉３４の下端３４ａと設置床面ＳＦとの間には幕板部３８が形成されている。なお、扉３４の上端３４ｂと低位カウンター延長部７の下面７ｂとの間には目隠し板部３７が形成されている。
【００２９】
水利用作業部４の上方には第１の吊戸棚４１が設けられ、立位作業部３の上方には第２の吊戸棚４２が設けられる。第１の吊戸棚４１には、収納部２９と合わせて、洗顔用品、歯磨き用品、化粧品、整髪料、ブラシドライヤー、ヘアアイロン、美顔器等を収納することができる。第２の吊戸棚４２には、グラス、カップ、小皿、カトラリー等を収納することができる。また、設置構造１００において、壁面Ｗのうち、座位作業部２の上方の壁面Ｗには鏡４７が設けられている。壁面Ｗのうち、水利用作業部４、立位作業部３、及び座位作業部２の上方、且つ第１の吊戸棚４１、第２の吊戸棚４２、及び鏡４７で覆われていない領域には化粧板が設けられている。具体的には、水利用作業部４の上方、且つ第１の吊戸棚４１及び鏡４７で覆われていない領域には第１の化粧板４３が設けられており、立位作業部３の上方、且つ第２の吊戸棚４２及び鏡４７で覆われていない領域には第２の化粧板４４が設けられており、座位作業部２の上方、且つ鏡４７で覆われていない領域には第３の化粧板４６が設けられている。鏡４７は、第１の化粧板４３、第２の化粧板４４及び第３の化粧板４６と面方向に並ぶように配置されている。すなわち、鏡４７は、各化粧板４３，４４，４６と略面一となるように設けられている。なお、「略面一」とは、鏡４７の表面と化粧板４３，４４，４６の表面が同一の平面上に配置されるような状態のみならず、完全に同一でなく僅かな段差が形成されているような状態も含むものである。
【００３０】
なお、上述の化粧板４３，４４，４６のみならず、図１においてグレースケールで色が付された部分には化粧板が設けられている。すなわち、吊戸棚４１，４２、収納部２９、冷蔵庫収納部９の表面にも化粧板が設けられている。なお、図１には示されないが、各構成要素の側面にも化粧板が設けられていてよい。各化粧板は、突板化粧合板、メラミン樹脂化粧板、シート貼り化粧合板などの材料によって構成される。
【００３１】
第１の化粧板４３は、低位カウンター延長部７の上方に設けられた下地部５７の前面の全域を覆うように設けられている。下地部５７は、低位カウンター延長部７の壁面Ｗ側の端部７ｃに沿って横方向に広がると共に、当該端部７ｃから上方へ向かって垂直に延びる板状部材によって構成される。第１の化粧板４３（すなわち下地部５７）の横方向の大きさは、低位カウンター延長部７の横方向の大きさと略同一に設定される。
【００３２】
第１の吊戸棚４１は、矩形状の箱体であって、背板部５１と、下地部５７（下地部５７の上端側の一部）と、側板部５２，５３と、扉５４と、底板部５５と、天板部５６とを備えて構成されている。設置構造１００において、第１の吊戸棚４１は、水利用作業部４の上方に、背板部５１が壁面Ｗに固定されることにより設けられている。背板部５１は、下地部５７の上端部５７ａに沿って横方向に広がると共に、当該上端部５７ａから上方へ垂直に延びる板状部材によって構成される。側板部５２は、背板部５１の座位作業部２とは反対側の端部５１ａに沿って上下方向に広がると共に、当該５１ａより前面側へ垂直に延びる板状部材によって構成される。側板部５３は、背板部５１の座位作業部２側の端部５１ｂに沿って上下方向に広がると共に、当該端部５１ｂより前面側へ垂直に延びる板状部材によって構成される。底板部５５は、背板部５１の下端部５１ｃに沿って横方向に広がると共に、当該下端部５１ｃより前面側へ垂直に延びる板状部材によって構成される。天板部５６は、背板部５１の上端部５１ｄに沿って横方向に広がると共に、当該上端部５１ｄより前面側へ垂直に延びる板状部材によって構成される。背板部５１と、側板部５２，５３と、底板部５５と、天板部５６とで囲まれる部分には空間ＳＰ４が形成され、この空間ＳＰ４は各種収納物を収納するための空間として機能する。空間ＳＰ４内は、複数枚（本実施形態では３枚であるが特に数量は限定されない）の棚板５８で仕切られている。第１の吊戸棚４１には、座位作業部２側が開く片開き形式の扉５４が設けられている。前述の空間ＳＰ４は前面側に開口部が形成されており、扉５４は当該開口部を塞ぐように配置された板状部材によって構成されている。扉５４は、座位作業部２とは反対側に設けられる側板部５２にヒンジ（不図示）を介して接続される。これによって、扉５４は当該ヒンジ周りに座位作業部２側が開くような片開き形式の扉となる。側板部５２，５３及び扉５４は、底板部５５よりも下方へ延びることによって、下地部５７（及び第１の化粧板４３）の上端部５７ａ側の一部の領域５７ｘが側板部５２，５３及び扉５４に覆われる。なお、下地部５７及び第１の化粧板４３のうち、領域５７ｘは、第１の吊戸棚の背板部の一部を構成するものとする。
【００３３】
第１の吊戸棚４１の横方向の寸法は、低位カウンター延長部７の横方向の寸法と略同一に設定される。第１の吊戸棚４１の上下方向の寸法は、６５０ｍｍ〜８５０ｍｍに設定される。第１の吊戸棚４１の奥行き寸法は、水利用作業部４で洗顔を行っているときに、利用者の頭がぶつからず、且つ、化粧品等を置く事が出来る程度の寸法に設定されており、具体的には１００ｍｍ〜２００ｍｍに設定されている。また、第１の吊戸棚４１の下端４１ａ（ここでは、側板部５２，５３及び扉５４の下端に対応する）は、当該下端４１ａと水利用作業部４との間に水栓操作を行う空間ＳＰ５を確保する高さに設定される。すなわち、第１の吊戸棚４１の下端４１ａは、利用者の水栓操作に支障がない程度にまで低い位置に設定されている。シンク２６及び水栓２４の大きさにもよるが、具体的には、低位カウンター延長部７の上面７ａと第１の吊戸棚４１の下端４１ａとの間の寸法は、３００ｍｍ〜５００ｍｍに設定される。
【００３４】
第２の化粧板４４は、高位カウンター８の上方に設けられた下地部６７の前面の全域を覆うように設けられている。下地部６７は、高位カウンター８の壁面Ｗ側の端部８ｃに沿って横方向に広がると共に、当該端部８ｃから上方へ向かって垂直に延びる板状部材によって構成される。第２の化粧板４４（すなわち下地部６７）の横方向の大きさは、高位カウンター８の横方向の大きさと略同一に設定される。
【００３５】
第２の吊戸棚４２は、矩形状の箱体であって、背板部６１と、側板部６２，６３と、扉６４と、底板部６５と、天板部６６とを備えて構成されている。設置構造１００において、第２の吊戸棚４２は、立位作業部３の上方に、背板部６１が壁面Ｗに固定されることにより設けられている。背板部６１は、下地部６７の上端部６７ａに沿って横方向に広がると共に、当該上端部６７ａから上方へ垂直に延びる板状部材によって構成される。側板部６２は、背板部６１の座位作業部２側の端部６１ａに沿って上下方向に広がると共に、当該６１ａより前面側へ垂直に延びる板状部材によって構成される。側板部６３は、背板部６１の座位作業部２とは反対側の端部６１ｂに沿って上下方向に広がると共に、当該端部６１ｂより前面側へ垂直に延びる板状部材によって構成される。底板部６５は、背板部６１の下端部６１ｃに沿って横方向に広がると共に、当該下端部６１ｃより前面側へ垂直に延びる板状部材によって構成される。天板部６６は、背板部６１の上端部６１ｄに沿って横方向に広がると共に、当該上端部６１ｄより前面側へ垂直に延びる板状部材によって構成される。背板部６１と、側板部６２，６３と、底板部６５と、天板部６６とで囲まれる部分には空間ＳＰ６が形成され、この空間ＳＰ６は各種収納物を収納するための空間として機能する。空間ＳＰ６内は、棚板６８（ここでは一枚であるが複数枚であってもよい）で仕切られている。第２の吊戸棚４２には、座位作業部２側が開く片開き形式の扉６４が設けられている。前述の空間ＳＰ６は前面側に開口部が形成されており、扉６４は当該開口部を塞ぐように配置された板状部材によって構成されている。扉６４は、座位作業部２とは反対側に設けられる側板部６３にヒンジ（不図示）を介して接続される。これによって、扉６４は当該ヒンジ周りに座位作業部２側が開くような片開き形式の扉となる。
【００３６】
第２の吊戸棚４２の横方向の寸法は、高位カウンター８の横方向の寸法と略同一に設定される。第２の吊戸棚４２の上下方向の寸法は、３００ｍｍ〜６００ｍｍに設定される。第２の吊戸棚４２の奥行き寸法は、皿等の食器類を収納することができる程度の寸法に設定されており、具体的には２００ｍｍ〜４５０ｍｍに設定されている。第２の吊戸棚４２の奥行き寸法は、第１の吊戸棚４１の奥行き寸法に比して大きく設定されている。また、第２の吊戸棚４２の下端４２ａ（ここでは、扉６４の下端に対応する）は、当該下端４２ａと立位作業部３との間に電気機器を配置するための空間ＳＰ７を確保する高さに設定される。すなわち、第２の吊戸棚４２の下端４２ａは、高位カウンター８上に電気機器（少なくとも電子レンジＥＲ）を置ける程度にまで高い位置に設定されている。具体的には、高位カウンター８の上面８ａと第２の吊戸棚４２の下端４２ａとの間の寸法は、４００ｍｍ〜６００ｍｍに設定される。
【００３７】
第３の化粧板４６は、低位カウンター６の上方に設けられた下地部７７の前面のうち、下端側の領域の一部を覆うように設けられている。また、鏡４７は、下地部７７の前面のうち、第３の化粧板４６よりも上側の領域の略全域を覆うように設けられている。下地部７７は、低位カウンター６の壁面Ｗ側の端部６ｃに沿って横方向に広がると共に、当該端部６ｃから上方へ向かって垂直に延びる板状部材等によって構成される。第３の化粧板４６及び鏡４７（すなわち下地部６７）の横方向の大きさは、低位カウンター６の横方向の大きさと略同一に設定される。鏡４７は、利用者が座った状態でも立った状態でもいずれの場合であっても使用することができる大きさ・位置に設定されている。従って、低位カウンター６の上方には吊戸棚を設けず、その分だけ鏡４７の面積を広く確保している。第３の化粧板４６の上下方向の大きさ（すなわち、鏡４７の下端と低位カウンター６の上面６ａとの距離）は、５０ｍｍ〜１００ｍｍに設定される。鏡４７の上下方向の大きさは、９５０ｍｍ〜１１００ｍｍに設定される。なお、鏡４７の上端部には当該上端部を支持するように横方向に延びる部材６９が設けられている。なお、本実施形態では、第１の吊戸棚４１の上端、鏡４７の上端（部材６９の上端）、及び第２の吊戸棚４２の上端の高さ位置は、それぞれ一致するように設けられているが、互いに異なる高さであってもよい。
【００３８】
低位カウンター６の上方の壁面４６ａ（ここでは化粧板４６の表面）には第１のコンセント８１が設けられ、第１の吊戸棚４１の内部の背板部５１には第２のコンセント８２が設けられ、冷蔵庫収納部９の内部の背板部１１には第３のコンセント８３が設けられている。また、高位カウンター８には、配線を通すための開口部８４が形成される。第１のコンセント８１は、ドライヤーなどの整容用の電気機器や電気ポット用のコンセントとして使用できる。この電気ポットを利用して、お茶やカップスープ等のインスタント食品に必要な湯を沸かすことができる。電気ポットは、高位カウンター８または低位カウンター６上に置くことができる。第２のコンセント８２は、電気歯ブラシやシェーバーの充電用に使用できる。第３のコンセント８３は、冷蔵庫や電子レンジ用に使用できる。電子レンジＥＲは高位カウンター８上に設置し、その配線は開口部８４を通過して第３のコンセント８３に挿入される。電子レンジＥＲは、レトルトや冷凍食品の軽食の準備や、美容整容にホットタオルを準備するために使用できる。冷蔵庫には、冷凍庫の機能と冷蔵庫の機能を合わせ持つコンパクトなものを採用し、アイス、氷、飲料水、つまみ類などの飲食物の他、化粧水やパック用品などの美容品も入れることができる。
【００３９】
次に、本実施形態に係る多目的ドレッサー１の作用・効果について説明する。
【００４０】
まず、従来は、衛生、美容、整容行為は洗面化粧台（洗面ボール、カウンター、鏡、収納キャビネットで構成される）で行い、食事作り関連はその作業程度に関わらずキッチンセット（シンク、コンロ、フード、カウンター、収納キャビネットで構成される）で対応していた。ここで、例えば熟年夫婦と成人した子供からなる家族にとっては、美容整容及び軽い飲食を、共用スペースのみならず個室等のプライベートゾーンにおいて行うことに対するニーズがある。また、当該世帯の場合、将来成人した子供が結婚し同居する可能性も高く、子世帯がサブキッチンとして利用できるような設備に対するニーズもある。
【００４１】
ここで、洗面と流しの機能を兼用することが出来るシンクを備えた多目的のユニットが知られているが、従来のユニットは、カウンター高さが機能によらず同一に設定されていた。一方、整容などの座位作業を行うために適切なカウンターの高さと、軽食準備などの立位作業を行うために適切なカウンターの高さとは異なる。しかしながら、従来のユニットでは、カウンターの高さが同一に設定されていたため、各作業に対応した使い易い高さでない場合があった。また、従来のユニットでは、カウンターとは別の位置に、冷蔵庫などの電気機器を設置するためのスペースを確保しなくてはならず、あるいは、電気機器を設置するためだけに用いられる棚のためのスペースを確保しなくてはならず、部屋全体の空間を有効に利用することも求められていた。
【００４２】
これに対し、本実施形態に係る多目的ドレッサー１は、椅子に腰掛けた状態で作業を行うための座位作業部２と、起立した状態で作業を行うための立位作業部３と、水栓２４及びシンク２６を備えて水利用作業を行うための水利用作業部４と、を備えているため、利用者は多様な目的で多目的ドレッサー１を利用することができる。すなわち、多目的ドレッサー１を個室内に設置することで、美容整容や軽い飲食を個室内で行うことが可能となる。また、座位作業部２は低位カウンター６を備えると共に、当該低位カウンター６の下方には、座位作業時のニースペース及び椅子収納部としての空間ＳＰ１が形成されている。また、立位作業部３は、高位カウンター８を備えている。このように、高さの異なる低位カウンター６と高位カウンター８を備えているため、低位カウンター６については座位作業にとって適切な高さに設定し、高位カウンター８についても立位作業にとって適切な高さに設定することが可能となる。従って、座位作業及び立位作業のいずれの作業も効率良く行うことができる。更に、高位カウンター８の下方には冷蔵庫収納部９が形成されている。従って、高位カウンター８の上方は立位作業のためのスペースとして確保しつつも、下方は冷蔵庫ＲＦを収納することができるため、室内に冷蔵庫ＲＦを設置するためだけのスペースを確保する必要がない。以上により、座位作業及び立位作業の両方を効率良く行うことができると共に、空間を有効に利用することができる。
【００４３】
また、本実施形態に係る多目的ドレッサー１において、座位作業部２は、立位作業部３と水利用作業部４との間に配置されている。これによって、低位カウンター６を美容整容や食事などの多様な目的で利用することが可能となる。従って、美容整容を行うスペースと食事をするスペースを別々に設ける必要がなく、空間を効率よく利用することができる。また、座位作業部２から立位作業部３や水利用作業部４への移行を無駄なく合理的に行うことができる。
【００４４】
また、本実施形態に係る多目的ドレッサー１において、冷蔵庫収納部９には、座位作業部２側が開く片開き形式の扉１４が設けられている。これによって、座位作業部２で座った状態で冷蔵庫ＲＦに物を出し入れすることができる。
【００４５】
また、本実施形態に係る多目的ドレッサー１において、水利用作業部４の水栓２４及びシンク２６は、座位作業部２の低位カウンター６が延長された低位カウンター延長部７の上面７ａに設けられている。これによって、低位カウンター６とシンク２６周辺との間に段差が生じない構成とすることができるため、シンク周辺の低位カウンター延長部７の上面７ａを小物類置き場として有効活用することができる。
【００４６】
また、本実施形態に係る多目的ドレッサー１の設置構造１００において、水利用作業部４、立位作業部３、及び座位作業部２は、その背面部が同一の壁面Ｗに当接されるように設けられ、水利用作業部４の上方には第１の吊戸棚４１が、立位作業部３の上方には第２の吊戸棚４２が、それぞれの背板部５１，６１が壁面Ｗに固定されることにより設けられている。また、第１の吊戸棚４１の下端４１ａは、当該下端４１ａと水利用作業部４との間に水栓操作を行う空間ＳＰ５を確保する高さに設定され、第２の吊戸棚４２の下端４２ａは、当該下端４２ａと立位作業部３との間に電気機器（電子レンジＥＲなど）を配置するための空間ＳＰ７を確保する高さに設定されている。また、第２の吊戸棚４２の奥行き寸法は、第１の吊戸棚４１の奥行き寸法に比して大きく設定されているため、小さい奥行きの第１の吊戸棚４１は、洗顔時に頭がぶつかることを防止つつ化粧品などを収納可能とし、大きい奥行きの第２の吊戸棚４２は皿などの食器を収納することを可能とする。これによって、使い易い位置に適切な大きさの収納空間を確保することができるため、機能的に利用することができる。
【００４７】
また、本実施形態に係る多目的ドレッサー１の設置構造１００において、座位作業部２の上方の壁面Ｗには鏡４７が設けられており、水利用作業部４の上方、且つ第１の吊戸棚４１及び鏡４７で覆われていない領域には第１の化粧板４３が設けられており、立位作業部３の上方、且つ第２の吊戸棚４２及び鏡４７で覆われていない領域には第２の化粧板４４が設けられており、座位作業部２の上方、且つ鏡４７で覆われていない領域には第３の化粧板４６が設けられている。鏡４７は、第１の化粧板４３、第２の化粧板４４及び第３の化粧板４６と面方向に並ぶように配置されている。すなわち、鏡４７は、各化粧板４３，４４，４６と略面一となるように設けられている。これによって、鏡４７の周囲に各化粧板４３，４４，４６が配置される構成となることにより、鏡４７と周囲の壁面との間に段差が発生することを抑制することができるため、意匠性を向上することができる。また、鏡４７の大きさと位置は、座位作業と立位作業の両方を考慮して設定されており、利用者が座った状態でも立った状態でも鏡４７を使用することができる。
【００４８】
また、本実施形態に係る多目的ドレッサー１の設置構造１００において、低位カウンター６の上方の壁面（ここでは第３の化粧板４６）には第１のコンセント８１が設けられ、第１の吊戸棚４１の内部の背板部５１には第２のコンセント８２が設けられ、冷蔵庫収納部９の内部の背板部１１には第３のコンセント８３が設けられ、高位カウンター８には、配線を通すための開口部８４が形成される。これにより、第１のコンセント８１を用いて座位作業において用いられる電気機器（例えばドライヤー等）を利用することが可能となる。また、第２のコンセント８２が第１の吊戸棚４１の内部の背板部５１に設けられているため、第２のコンセント８２を用いて充電しながら第１の吊戸棚４１に物（例えばシェーバーや電気歯ブラシ等）を収納することが可能となる。また、第３のコンセント８３が冷蔵庫収納部９の内部の背板部１１に形成されており、高位カウンター８に配線を通すための開口部８４が形成されるため、冷蔵庫ＲＦの配線や、高位カウンター８に設置される電気機器の配線を外部に露出しないように配置することが可能となり、外観が損なわれない。
【００４９】
また、本実施形態に係る多目的ドレッサー１において、低位カウンター６の下方には、低位カウンター６の前面側の端部６ｄよりも前方に突出するタオル掛け２１が設けられている。これによって、タオルを使用するときは、前方に引き出し、タオルを使用しないときは、タオルを掛けた状態のまま低位カウンター６の下方にしまっておくことができるため、タオルが見え難くなり外観が損なわれない。
【００５０】
また、本実施形態に係る多目的ドレッサー１において、冷蔵庫収納部９の扉１４の下端１４ａと設置床面ＳＦとの間には隙間１６が形成されている。これによって、当該隙間１６から、空気が流通することで、冷蔵庫収納部９に熱がこもることを抑制することができる。また、高位カウンター８に開口部８４が形成されている場合には、当該隙間１６から高位カウンター８の開口部８４へ向かう空気の流れによって、冷蔵庫収納部９に熱がこもることを更に抑制することができる。また、冷蔵庫収納部９の底部には、底板が設けられておらず、設置床面ＳＦとの間に段差が形成されないため、重い冷蔵庫ＲＦを冷蔵庫収納部９から容易に出し入れすることができる。
【００５１】
次に、図６を参照して、多目的ドレッサー１の設置構造及び設置方法について説明する。
【００５２】
図６（ａ）に示すように、多目的ドレッサー１を設置するためのリフォームの対象となる建物１５０は、収納ＳＴを有する二つの個室ＲＭを有する住宅であるものとする。二つの個室ＲＭの間には、間仕切り壁ＳＷが設けられている。このような住宅について、図６（ｂ）に示すように、改修によって間仕切り壁ＳＷを撤去して、二つの個室ＲＭを、つなげて一室（図においてＬＤで示している）とする。そして、少なくとも一方の個室ＲＭの収納ＳＴについて、建具を取り外し、多目的ドレッサー１を設置する。多目的ドレッサー１を設置する収納ＳＴについては、収納の扉ＧＴを取り外し、間仕切り壁ＳＷを残存させて、多目的ドレッサー１を収納ＳＴ内の空間に設置する。以上によって、間取りを大きく変えることなく、家族構成の変化に柔軟に対応することができる。例えば、成人した二人の子供のうちの一方が独立し、他方の子供が親との同居を続ける際に、隣接する二つの子供室に対し上記改修工事を施すことにより、同居を継続する他方の子供が独立性の高い生活を営むための部屋とすることができる。
【００５３】
ここで、上述のようにして構成された多目的ドレッサー１の設置構造１００の寸法関係について図６（ｃ）を参照して説明する。多目的ドレッサー１が設置される建物１５０は、規格化建物であって、所定の平面モジュール（Ｍとする）を有している。従って、個室ＲＭ等の間仕切り壁ＳＷ同士の間の寸法（間仕切り壁ＳＷの中心線と中心線との間の寸法）は、平面モジュールの整数倍となる。図６（ｃ）では、間仕切り壁ＳＷ同士の間の寸法は、Ｍ×Ｎと示される。また、収納ＳＴの間仕切り壁ＳＷ間の寸法も、平面モジュールの整数倍（図ではＭ×ｎと示される）となる。多目的ドレッサー１は、平面モジュールに基づいた間仕切り壁ＳＷの間に設置されている。間仕切り壁ＳＷの壁厚も規格化され、所定の幅Ｔを有しており、多目的ドレッサー１の幅寸法は、平面モジュールの整数倍から間仕切り壁の所定の幅を減じた値に対応する（図では、Ｍ×ｎ−Ｔに対応する）。以上によって、室内の空間を無駄なく利用することができる。また、収納として用いられていた部分を大きくリフォームする必要なく有効活用することができる。なお、間仕切り壁ＳＷの間に多目的ドレッサー１を設置する場合、多目的ドレッサー１の側面は間仕切り壁ＳＷに覆われる。従って、側面の化粧板による処理を省略してもよい。
【００５４】
本発明は、上述の実施形態に限定されるものではない。例えば、図７に示す多目的ドレッサー２０１の設置構造２００のように、サイズの小さいシンク２２６を適用してもよい。すなわち、図１に示すシンク２６は半球状の形状をなしていたが、図７に示すような円筒状のシンク２２６を適用してもよい。これによって、低位カウンター延長部７の上面７ａの空きスペースを広く確保することができるため、小物類の置き場を広く確保することができる。
【００５５】
また、例えば、座位作業部、立位作業部、水利用作業部の配置関係は、上述のものに限らず、立位作業部と水利用作業部が図１に示す配置と座位作業部を挟んで反対であってもよい。また、座位作業部が水利用作業部と立位作業部との間の中央位置に配置されていたが、水利用作業部が中央位置に配置されてもよく、立位作業部が中央位置に配置されてもよい。また、上述の多目的ドレッサーは、座位作業部、立位作業部、水利用作業部に加えて、横方向に並ぶように他の部分を備えていてもよい。また、水栓及びシンクは低位カウンター延長部の上面に設けられていたが、低位カウンターと高さの異なる別のカウンターと設け、そのカウンターの上面に設けてもよい。また、コンセント等の位置も上述のものに限られない。また、第１の吊戸棚、第２の吊戸棚、収納部の一部または全部が省略されてもよい。
【符号の説明】
【００５６】
１，２０１…多目的ドレッサー、２…座位作業部、３…立位作業部、４…水利用作業部、６…低位カウンター、７…低位カウンター延長部、８…高位カウンター、９…冷蔵庫収納部、２１…タオル掛け、２４…水栓、２６…シンク、４１…第１の吊戸棚、４２…第２の吊戸棚、４３…第１の化粧板、４４…第２の化粧板、４６…第３の化粧板、４７…鏡、８１…第１のコンセント、８２…第２のコンセント、８３…第３のコンセント、８４…開口部、１００，２００…多目的ドレッサーの設置構造。
【図２】
2015058287.tif 000003
【図３】
2015058287.tif 000004
【図４】
2015058287.tif 000005
【図５】
2015058287.tif 000006
【図６】
2015058287.tif 000007
【図１】
2015058287.tif 000008
【図７】
2015058287.tif 000009